(57)【要約】【課題】      透光性のゴム状弾性体でなるベースシートの表面に、透光性の樹脂キートップを備え、ベースシートの裏面に臨ませる照光源の発光によりキートップが照光する照光式キーパッドについて、照光をもとにした新たな付加価値を創出する照光式のキートップを備えること。【解決手段】    樹脂キートップ１４の下端縁１４ｂに着色形成された縁取層１６を有するものとした。そのため、樹脂キートップ１４は、非照光時には、樹脂キートップ１４の底面１４ａや表面の色が見える一方、照光時には、縁取層１６の色となって見えるため、非照光時と照光時とで樹脂キートップ１４の色彩が変化し趣を異にすることができる。【選択図】    図２
2006092898.tif 000002
【特許請求の範囲】
【請求項１】
透光性のゴム状弾性体でなるベースシートの表面に、透光性の樹脂キートップを備え、ベースシートの裏面に臨ませる照光源の発光によりキートップが照光する照光式キーパッドにおいて、
樹脂キートップの下端縁に着色形成された縁取層を有する照光式キーパッド。
【請求項２】
樹脂キートップがフランジ付きのキートップである請求項１記載の照光式キーパッド。
【請求項３】
樹脂キートップの下端縁としての樹脂キートップ底面縁に前記縁取層を有する請求項１または請求項２記載の照光式キーパッド。
【請求項４】
樹脂キートップの下端縁としての樹脂キートップ周面下隅に前記縁取層を有する請求項１または請求項２記載の照光式キーパッド。
【請求項５】
樹脂キートップ底面縁から樹脂キートップ周面下隅に繋がる前記縁取層を有する請求項１または請求項２記載の照光式キーパッド。
【請求項６】
前記縁取層が、樹脂キートップの下端縁を環状に連続してなるものである請求項１〜請求項５何れか１項記載の照光式キーパッド。
【請求項７】
前記縁取層が、樹脂キートップの下端縁を環状ではあるが断続してなるものである請求項１〜請求項５何れか１項記載の照光式キーパッド。
【請求項８】
前記縁取層が透光性である請求項１〜請求項７何れか１項記載の照光式キーパッド。
【請求項９】
ベースシートに複数の樹脂キートップを備え、個々の樹脂キートップごとに定めた所望の色彩を有する前記縁取層を、該樹脂キートップごとに選択して設けた請求項１〜請求項８何れか１項記載の照光式キーパッド。
【請求項１０】
横方向または縦方向の何れか所定の一方向に隣合う樹脂キートップごとに同じ色彩の前記縁取層を設け、横方向または縦方向の何れか所定の他方向に隣合う樹脂キートップごとに異なる色彩の前記縁取層を設けた請求項９記載の照光式キーパッド。
【発明の詳細な説明】
【技術分野】
【０００１】
本発明は、携帯電話機やＰＤＡなどの携帯情報端末、各種家庭用リモコンやカードリモコン、各種キーボードなどの電子・電気機器等に利用される押釦スイッチ用の照光式キーパッドに関する。
【背景技術】
【０００２】
近年、パーソナルユースとして用いられる電子・電気機器は、小型化、薄型化が進展し、また、利便性の追求からさまざまな付加機能が搭載されるようになってきた。例えば、図１１に示した携帯電話機１においては、電話機としての通話機能だけでなく、メール機能、インターネット接続機能、撮影機能などの補助機能も備え、消費者の購買意欲をかき立てるような努力がなされている。しかし、商品の売れ行きを増大させるためには、これらの機能の豊富さだけでは十分でなく、個人所有という商品の特性を加味した個性的で斬新なデザインを有することが重要になってきている。そのため、電子・電気機器としての機能の多様化だけでなく、デザインの多様化が進行してきている。
【０００３】
すなわち、携帯電話機１の機器の筐体１ａのデザインはいうまでもなく、携帯電話機１の表面部分を形成する押釦スイッチ用キートップ（以下「キートップ」と記載する）２においても、他機種との差別化を図るデザイン競争が生じてきており、金属調やパール調のキートップ２や、見る角度によって色調の変わるキートップ２なども上市されてきた。例えば、特開２００３−１９７０６３号公報（特許文献１）には樹脂キートップの表面に、多数の金属箔片を重着して鏡面光沢層を形成して金属調の色彩とした樹脂キートップについての記載がある。
【０００４】
一方、キートップ２には、携帯電話機１の内部から発光させてキートップ２が照光する照光式のキートップ２が知られている。しかしながら、照光式のキートップ２は、照光させて文字や記号等の表示部３を明るく見せる機能を有するものの、デザイン上は、表示部３の周囲が有色に光るようなキートップ２しかなく、照光により面白みを醸し出すような消費者の趣向を刺激する照光式のキートップは開発されていなかった。       
【特許文献１】特開２００３−１９７０６３号公報
【発明の開示】
【発明が解決しようとする課題】
【０００５】
以上のような背景に基づきなされたのが本発明である。その目的は、照光をもとにした新たな付加価値を創出する照光式のキートップを備えた照光式キーパッドを得ることにある。
【課題を解決するための手段】
【０００６】
この目的を達成すべく、本発明は、透光性のゴム状弾性体でなるベースシートの表面に、透光性の樹脂キートップを備え、ベースシートの裏面に臨ませる照光源の発光によりキートップが照光する照光式キーパッドについて、樹脂キートップの下端縁に着色形成された縁取層を有することを特徴とする。
【０００７】
樹脂キートップの下端縁は、樹脂キートップの底面にあっては底面縁、樹脂キートップの周面にあっては周面下隅を意味するものとし、下端縁という場合には、底面縁や周面下隅の何れか一方だけの場合と、その両者を意味する場合の何れの場合も含むものとする。なお、樹脂キートップの周面とは樹脂キートップの押圧操作方向と平行な面であって樹脂キートップの天面と底面を除く残余の面を言うものとする。
【０００８】
すなわち、いわゆる照光式キーパッドについて、樹脂キートップの下端縁に着色形成された縁取層を有するため、非照光時には、樹脂キートップの底面や表面に施された着色層の色が見えたり、その着色層が無い場合にはベースシートの地色などの縁取層以外の部分の色が見える。一方、照光時には、樹脂キートップが前記縁取層の色となって見える。そのため、非照光時と照光時とで樹脂キートップの色彩を変化させることができ、これにより非照光時と照光時とで趣を異にする樹脂キートップを備えた照光式キーパッドとすることができる。
【０００９】
このように、照光時と非照光時とで樹脂キートップの色が変わって見えるのは、非照光時では、樹脂キートップの下端縁に着色形成された縁取層がキートップ表面からは全く視認されないか、所定の角度から見る場合だけわずかに視認されるにすぎないのに対して、照光時では、機器の内部に設けられた照光源からの発光により縁取層に当たった光が視認されるためであると考えられる。
【００１０】
そして、本発明では、前記樹脂キートップをフランジ付きのキートップとすることができる。フランジ付きのキートップであれば、フランジが機器の筐体の桟に隠れ、視認されないため、このフランジ部分に縁取層を設ければ非照光時には縁取層が全く視認されない照光式キーパッドとすることができる。
【００１１】
そして、樹脂キートップの下端縁のうち、樹脂キートップの底面縁に縁取層を有するものとすることができる。底面縁へは縁取層を形成する作業が容易であり、縁取層形成の精度が高く品質の良い照光式キーパッドとなる。
【００１２】
また、樹脂キートップの下端縁のうち、樹脂キートップの周面下隅に縁取層を有するものとすることができる。特に、フランジの無い樹脂キートップの場合は、樹脂キートップの底面縁に縁取層を形成したとすれば、非照光の場合でも樹脂キートップの底面全体が視認可能なため縁取層が視認されてしまう。ところが、底面縁ではなく周面下隅に縁取層を形成すれば、その縁取層は視認されにくく、目立たないという利点を有する。
【００１３】
さらに、樹脂キートップの下端縁のうち、樹脂キートップの底面縁から樹脂キートップの周面下隅に繋がる縁取層を有するものとすることができる。樹脂キートップの底面縁から樹脂キートップの周面下隅に繋がる縁取層を有するものとすれば、製造工程において、樹脂キートップの周面下隅への縁取層の形成は、底面縁への縁取層の形成と同時に行うことができ、歩留まりが高く安価な製品とすることができる。
【００１４】
縁取層は、樹脂キートップの下端縁を環状に連続してなるものとすることができるし、また、樹脂キートップの下端縁を環状ではあるが断続してなるものとすることができる。環状に連続したものとすれば、照光源の設置場所に左右されることなく、照光源がどこにあっても下端縁の縁取層に必ず光が当たるため、安定した照光色を得ることができる。また、環状であるが断続したものとすれば、照光源からの光が低減されず、照光時の輝度を高く維持することができる。
【００１５】
そして、前記縁取層を透光性とすれば、光の透過量減少を抑えることができ、照光時にキートップ全体を縁取層の色として照光させることが可能となる。
【００１６】
また、本発明は、ベースシートに複数の樹脂キートップを備え、個々の樹脂キートップごとに定めた所望の色彩を有する前記縁取層を、該樹脂キートップごとに選択して設けたものとすることができる。
【００１７】
ベースシートに複数の樹脂キートップを備え、個々の樹脂キートップごとに定めた所望の色彩を有する前記縁取層を、該樹脂キートップごとに選択して設けたため、複数の樹脂キートップ全体としてデザイン上まとまりのある照光を行うことが可能となる。例えば、樹脂キートップごとに虹を構成する各色を縁取層の色として段階的に設ければ、照光時に樹脂キートップ全体から虹色を照光することができ、虹をイメージさせることが可能となる。また、縁取層の色彩を樹脂キートップごとに段階的に薄めていけば、樹脂キートップ全体からグラデーションを表出させることが可能となる。
【発明の効果】
【００１８】
本発明の照光式キーパッドによれば、非照光時と照光時とで樹脂キートップの色彩を変化させることができ、これにより非照光時と照光時とで趣を異にする樹脂キートップを備えた照光式キーパッドを得ることができる。
【００１９】
また、本発明の照光式キーパッドによれば、個々の樹脂キートップの色彩の相違により、全体としてまとまりのある趣を表出する樹脂キートップを備えた照光式キーパッドを得ることができる。
【発明を実施するための最良の形態】
【００２０】
本発明の一実施形態に係る照光式キーパッドについて、図面を用いてさらに詳しく説明する。
【００２１】
第１実施形態；  図１は、照光式キーパッド１１の平面図であり、図１１で示したような携帯電話機１に用いられるものである。照光式キーパッド１１は、携帯電話機１の筐体１ａから露出し押圧操作を受ける複数の樹脂キートップを備えている。即ち、中央上部にある大型で上下左右の方向入力を行う１個の中央キートップ１２と、その左右にある小型で４個の樹脂キートップ１３と、それらの下側にあり、縦に５行、横に３列からなる１５個の中型の樹脂キートップ１４とを備えている。そして、これらの樹脂キートップ１２，１３，１４は、ゴム状弾性体でなるベースシート１５に透光性の接着剤などで固着されている。すなわち、照光式キーパッド１１は、複数の樹脂キートップ１２，１３，１４とベースシート１５とで構成されている。
【００２２】
本発明の照光式キーパッド１１に備えられた複数の樹脂キートップ１２，１３，１４のうち、照光式キートップとして機能する樹脂キートップは、中型の樹脂キートップ１４であり、中央キートップ１２や、小型の４個のキートップ１３は、表面にメッキ処理を施した非照光式キートップとなっている。
【００２３】
樹脂キートップ１４の原材料としては、ポリカーボネート、アクリル、ＡＢＳ等の熱可塑性樹脂やエポキシ、シリコーン等の熱硬化性樹脂、紫外線硬化性樹脂などの透光性の樹脂が用いられる。これらの樹脂は、成形加工性や成形後の装飾を施し易いなどの点で好ましい。他の樹脂キートップ１２，１３もこれらの樹脂により成形することができるが透光性である必要はない。
【００２４】
図２には、１つの樹脂キートップ１４の拡大図を示す。図２Ｃで示すように、樹脂キートップ１４の底面（裏面）１４ａには、文字や記号、絵柄等を表す表示部３が形成されている。表示部３の形成は、スクリーン印刷やタンポ印刷、金属薄膜を備えた転写箔の転写などによって行うことができ、いわゆる抜き文字印刷にて抜き文字を形成しても良いし、文字部分を印刷等にて形成しても良い。例えば、スクリーン印刷により黒色インキを印刷して黒色の数字「１」設けることができる。これにより、照光しない場合には、黒色の数字「１」が、ベースシート１５の地色の背景の中に見ることができる。また、表示部３の周囲の部分に着色しても良く、数字「１」を黒色に、その周囲の部分を白色にすれば、白地に黒の数字が見えることとなる。なお、表示部３やその周囲の部分に用いられる印刷インキは透光性のものでも非透光のものでも良く、デザインによってまたは後に説明する縁取層との関係で決定することができる。
【００２５】
図２Ａには、図２Ｂで示した樹脂キートップ１４の部分拡大図を示すが、図２Ａや図２Ｃで示すように、樹脂キートップ１４の下端縁である底面縁１４ｂの縁上に、環状に連続した着色層が縁取層１６として設けられている。縁取層１６は、スクリーン印刷やタンポ印刷などで形成することができ、透光性の所望の色彩を有するインキを用いることが好ましい。光の透過道を確保し、照光時の明るさの減少を最小限にすることができるからである。ここで、樹脂キートップ１４は、フランジ１７を有する樹脂キートップであり、フランジ１７の底面１７ａ部分に縁取層１６が形成されている。すなわち、縁取層１６はフランジ１７の底面１７ａには設けられているが、樹脂キートップ１４の底面１４ａ全面には設けられていないため、縁取層１６が設けられた部分とそれ以外の樹脂キートップ底面１４ａの部分は色彩が異なっている。なお、縁取層１６の形成は、縁取層１６の形状に印刷して形成しても良いが、縁取層１６とするべきインキを樹脂キートップ１４の底面１４ａ全面に印刷しておき、後にその底面１４ａの中央部分には別色の着色層を設けるなどして被覆して結果的に縁取層１６が表出するように形成しても良い。
【００２６】
ベースシート１５は、例えばシリコーンゴムのような透光性のゴム状弾性体によって平型薄肉シート状として形成されが、プリント基板４の皿ばね６を押圧する部分は押し子１５ａとして下向きに突起が設けられている。ベースシート１５は、成形型を用いた一般的な型成形にて形成することができる。
【００２７】
樹脂キートップ１４とベースシート１５とは、透光性の接着剤で両者を固着することができるが、樹脂キートップ１４とベースシート１５とに予め形成しておいた嵌合溝などによって嵌め合わせて接合してもよい。
【００２８】
このようにして形成された照光式キーパッド１１は、携帯電話機１に組み込まれると、図３で示したように、プリント基板４の上に載置して用いられる。そのプリント基板４には、照光源としての複数個のチップＬＥＤ５と、押圧操作により座屈してクリック感を発生する金属製の皿ばね６と、皿ばね６との接触により導通してスイッチ機能をなす固定接点７などが設けられている。照光式のキートップ１４を押圧すれば、固定接点７が押されて導通し、スイッチ機能を果たすようになっている。
【００２９】
照光式キーパッド１１は、チップＬＥＤ５を点灯しない場合は、図４Ａの模式図で示すように、縁取層１６を透過、または反射する光を視認しないため、ベースシート１５の地色を背景色とし、その中央に表示部３をなす数字「１」が視認されることになる。一方、チップＬＥＤ５を点灯する場合は、図４Ｂで示すように、チップＬＥＤ５から発せられた光が縁取層１６を透過して視認される。非透光性の縁取層１６である場合でも、キートップ１４の周面から入射し縁取層１６に反射した光が視認される（図示せず）。そのため、例えば赤色の縁取層１６としてあれば、黒色の数字「１」が赤色の背景の下に視認されることになる。したがって、未照光の場合には全く見て取れなかった赤色が、照光させることによって表れ、照光による趣を異にする照光式キーパッド１１を得ることができる。
【００３０】
第２実施形態；  第２実施形態による照光式キーパッド２１は、第１実施形態で用いた樹脂キートップ１４の代わりに、図５で示すような樹脂キートップ２４を用いている。樹脂キートップ２４は、その底面縁２４ｂから、フランジ２７の側面２７ｂに繋がる縁取層２６を設けている点が樹脂キートップ１４と異なるところである。第２実施形態における樹脂キートップ２４と第１実施形態における樹脂キートップ１４とは縁取層の形状以外は同じである。
【００３１】
縁取層２６は、第１実施形態で示した縁取層１６と同様にして形成することができる。例えば、フランジ２７の側面２７ｂへの着色工程を特に設けずとも、樹脂キートップ２４の底面縁２４ｂからインキがはみ出すように底面縁２４ｂに印刷することで、フランジ２７の側面２７ｂにまでインキを回り込ませて縁取層２６を形成することができる。また、樹脂キートップ２４の底面縁２４ｂへの着色工程とは別にフランジ２７の側面２７ｂに着色することもできる。
【００３２】
本実施形態における樹脂キートップ２４は、樹脂キートップ２４の底面縁２４ｂであるフランジ２７の底面２７ａと、樹脂キートップ２４の周面下隅であるフランジ２７の側面２７ｂに縁取層２６を設けたので、照光時に縁取層２６の色で照光することができる。
【００３３】
第３実施形態；  第３実施形態による照光式キーパッド３１は、第１実施形態で用いた樹脂キートップ１４の代わりに、図６で示すような樹脂キートップ３４を用いている。樹脂キートップ１４では、その底面縁１４ａを環状に連続した縁取層１６を設けていたが、樹脂キートップ３４では、図６Ｃで示すように、その底面縁３４ｂに環状ではあるが断続的な縁取層３６が設けられている。第３実施形態における樹脂キートップ３４と第１実施形態における樹脂キートップ１４とは縁取層の形状以外は同じである。
【００３４】
本実施形態における樹脂キートップ３４は、樹脂キートップ３４の底面縁３４ｂであるフランジ３７の底面３７ａに縁取層３６を断続的に設けているが、照光時に縁取層３６の色で照光することができる。
【００３５】
第４実施形態；  第４実施形態による照光式キーパッド４１は、第３実施形態で用いた樹脂キートップ３４の代わりに、図７で示すような樹脂キートップ４４を用いている。樹脂キートップ４４は、その底面縁４４ｂからフランジ４７の側面４７ｂに繋がる縁取層４６を設けている点が樹脂キートップ３４と異なるところである。第４実施形態における樹脂キートップ４４と第３実施形態における樹脂キートップ３４とは縁取層の形状以外は同じである。この場合も、照光時に縁取層４６の色で照光することができる。
【００３６】
第５実施形態；  第５実施形態による照光式キーパッド５１は、これまでの実施形態がフランジ付きの樹脂キートップ１４，２４，３４，４４であったのに対し、フランジが無い樹脂キートップ５４を用いている点で相違する。そして、図８で示すように、このフランジの無い樹脂キートップ５４には、その周面５４ｃであって、その下隅５４ｄに縁取層５６を設けている。
【００３７】
本実施形態における樹脂キートップ５４は、樹脂キートップ５４の下端縁としての周面下隅５４ｄに縁取層５６を設けたため、携帯電話機１の設計にもよるが、非照光時は縁取層５６がほとんど視認されないため、ベースシート１５の地色の中に数字「１」が見え、照光時には、縁取層５６の色で照光された背景色の中に数字「１」が見えることになる。
【００３８】
第６実施形態；  第６実施形態による照光式キーパッド６１も第５実施形態と同様にフランジの無い樹脂キートップ６４を用いている。そして、図９で示すように、第５実施形態の樹脂キートップ５４との相違は、縁取層６６を樹脂キートップ６４の底面縁６４ｂに設けた点である。それ以外の構成は第５実施形態における照光式キーパッド２１と同じである。
【００３９】
本実施形態における樹脂キートップ６４は、樹脂キートップ６４の下端縁としての底面縁６４ｂに縁取層６６を設けたため、非照光時は、ベースシート１５の地色の周りを縁取層６６が縁取りする中に表示部３としての数字「１」が視認される。一方、照光時には、縁取層５６の色彩で背景全体が照光された中に数字「１」が見えるように視認される。本実施形態においては、非照光時に縁取層６６が全く見えないわけではないが、樹脂キートップ６４が、非照光時には樹脂キートップ６４の底面６４ａの色に見え、照光時には被覆層６６の色で見え、非照光時と照光時で色彩が異なって見える点では他の実施形態と同様である。
【００４０】
第７実施形態；  第７実施形態による照光式キーパッド７１は、第１実施形態から第６実施形態で用いた何れの樹脂キートップ１４，２４，３４，４４，５４，６４を用いての良いが、図１０で示すように、中型の樹脂キートップ７４のうち、１行目に位置する３つの樹脂キートップ７４ａと、２行目に位置する３つの樹脂キートップ７４ｂ、同様にして３行目の樹脂キートップ７４ｃ、４行目の樹脂キートップ７４ｄ、５行目の樹脂キートップ７４ｅを、行ごとに別の色彩となるように縁取層１６，２６，３６，４６，５６，６６を施している。これにより、縁取層の色を、例えば１行目を赤色、２行目を黄色、３行目を緑色、４行目を青色、５行目を紫色とするなどして１〜５行の樹脂キートップ７４で虹を表現したり、１行目から５行目に至るまでに同一の色相であるが順次色の濃さに変化を与えてグラデーションを表現したものとすることができる。こうすることで、非照光時には５行３列の樹脂キートップ７４が同一色として視認されるが、照光時には虹色やグラデーションとして見える照光式キーパッド７１とすることができる。
【００４１】
実施形態の変形例；  上述の各実施形態においては、次のような変形が可能である。
【００４２】
樹脂キートップ１４，２４，３４，４４，５４，６４の底面１４ａ，２４ａ，３４ａ，４４ａ，５４ａ，６４ａには、表示部３を形成する文字、記号などの周囲に着色層を設けることも可能である。この着色層は、樹脂キートップの下端縁に設けた縁取層１６，２６，３６，４６，５６，６６とは別の色彩としておくことで、表示部３の背景色が、非照光時には着色層の色彩に見え、照光時には縁取層の色に見える樹脂キートップとすることができる。なお、縁取層１６，２６，３６，４６，５６，６６を非透光性の着色層とする場合は、縁取層以外の部位から光が縁取層に当たり、その反射光が視認される必要があるため、樹脂キートップ底面に設けられる着色層は透光性の層とすることが好ましい。
【００４３】
中型の樹脂キートップ１４，２４，３４，４４，５４，６４を照光式のキートップとしたが、それ以外の樹脂キートップ１２，１３も照光式とすることも可能である。また、各樹脂キートップの個数や形状等については特に限定されるものではなく、適宜変更が可能である。
【図面の簡単な説明】
【００４４】
【図１】本発明の照光式キーパッドの平面図である。
【図２】本発明の一実施形態における照光式キーパッドに用いられる樹脂キートップであり、図２Ｂはその断面図、図２Ｃは底面図、図２Ａは図２Ｂの部分拡大図をそれぞれ示す。
【図３】図１のＳＡ−ＳＡ線断面に相当する照光式キーパッドを備えた携帯電話機の断面図である。
【図４】本発明の照光式キーパッドにおける光の進行を示す模式図であり、図４Ａは非照光時を、図４Ｂは照光時をそれぞれ表す。
【図５】本発明の別の実施形態における照光式キーパッドに用いられる樹脂キートップであり、図５Ｂはその断面図、図５Ｃは底面図、図５Ａは図５Ｂの部分拡大図をそれぞれ示す。
【図６】本発明のまた別の実施形態における照光式キーパッドに用いられる樹脂キートップであり、図６Ｂはその断面図、図６Ｃは底面図、図６Ａは図６Ｂの部分拡大図をそれぞれ示す。図１のＳＡ−ＳＡ線断面図。
【図７】本発明の別の実施形態における照光式キーパッドに用いられる樹脂キートップであり、図７Ｂはその断面図、図７Ｃは底面図、図７Ａは図７Ｂの部分拡大図をそれぞれ示す。
【図８】本発明のまた別の実施形態における照光式キーパッドに用いられる樹脂キートップであり、図８Ｂはその断面図、図８Ｃは底面図、図８Ａは図８Ｂの部分拡大図をそれぞれ示す。
【図９】本発明のまた別の実施形態における照光式キーパッドに用いられる樹脂キートップであり、図９Ｂはその断面図、図９Ｃは底面図、図９Ａは図９Ｂの部分拡大図をそれぞれ示す。
【図１０】本発明のさらに別の実施形態における照光式キーパッドを示す平面図である。
【図１１】携帯電話機の外観図である。
【符号の説明】
【００４５】
１    携帯電話機
１ａ    筐体
２    キートップ
３    表示部
４    プリント基板
５    チップＬＥＤ
６    皿ばね
７    固定接点
１１，２１，３１，４１，５１，６１，７１    照光式キーパッド
１２，１３，１４，２４，３４，４４，５４，６４，７４    樹脂キートップ
１４ａ，２４ａ，３４ａ，４４ａ，５４ａ，６４ａ，７４ａ    底面
１４ｂ，２４ｂ，３４ｂ，４４ｂ，５４ｂ，６４ｂ，７４ｂ    底面縁
１４ｃ，２４ｃ，３４ｃ，４４ｃ，５４ｃ，６４ｃ，７４ｃ    周面
７４ｄ    下隅
１５    ベースシート
１５ａ    押し子
１６，２６，３６，４６，５６，６６，７６    縁取層
１７，２７，３７，４７，５７                フランジ
１７ａ，２７ａ，３７ａ，４７ａ，５７ａ    （フランジの）底面
【図１】
2006092898.tif 000003
【図２】
2006092898.tif 000004
【図３】
2006092898.tif 000005
【図４】
2006092898.tif 000006
【図５】
2006092898.tif 000007
【図６】
2006092898.tif 000008
【図７】
2006092898.tif 000009
【図８】
2006092898.tif 000010
【図９】
2006092898.tif 000011
【図１０】
2006092898.tif 000012
【図１１】
2006092898.tif 000013